(57)【要約】【課題】コンテンツの再生中において、コンテンツ中のセリフの頭出しを容易にできるようにする。【解決手段】再生装置は、ＤＶＤに記録されている音声を解析し、人間の声を含む音が再生される時間区間を特定する。そして、再生装置は、音声の再生中にキー２２１（前文キー）が押下された場合、再生されている音声の時間区間を特定し、特定した時間区間の始まりの時刻からＤＶＤに記録されているコンテンツを再生する。また、再生装置は、キー２２２（次文キー）が押下された場合、キー２２２が押された時より後に人間の声を含む音が再生される時間区間を特定し、特定した時間区間の始まりの時刻からＤＶＤに記録されているコンテンツを再生する。【選択図】図２
2007174074.tif 000002
【特許請求の範囲】
【請求項１】
映像と音声とを含むコンテンツが記録された記録媒体から該コンテンツを読み出す読み出し手段と、
前記読み出し手段により読み出されたコンテンツに含まれている映像および音声とを再生する再生手段と、
前記再生手段により再生されているコンテンツの巻き戻し指示と、前記再生手段により再生されているコンテンツの早送り指示とが入力される指示入力手段と、
前記コンテンツ中の音声を解析し、前記コンテンツ中において人間の声が含まれる音声の再生区間を特定する解析手段と、
前記コンテンツの再生中に前記指示入力手段に前記巻き戻し指示が入力された場合、
前記コンテンツの再生時間軸上において当該指示が入力された時点を含む再生区間が前記解析手段で特定された再生区間中にある場合には、当該指示が入力された時点を含む再生区間の開始時刻を特定し、
前記コンテンツの再生時間軸上において当該指示が入力された時点を含む再生区間が前記解析手段で特定された再生区間中にない場合には、前記コンテンツの再生時間軸上において当該指示が入力された時点より前に再生される再生区間の開始時刻を特定する第１特定手段と、
前記コンテンツの再生中に前記早送り指示が前記指示入力手段に入力された場合、前記解析手段で特定された再生区間であって、前記コンテンツの再生時間軸上において当該指示が入力された時点より後に再生される再生区間を特定し、この再生区間の開始時刻を特定する第２特定手段と、
前記第１特定手段により特定された時刻または前記第２特定手段により特定された時刻から前記コンテンツが再生されるように前記再生手段を制御する制御手段と
を有する再生装置。
【請求項２】
映像と音声と複数の字幕画像とを含むコンテンツが記録された記録媒体から該コンテンツを読み出す読み出し手段と、
前記読み出し手段により読み出されたコンテンツに含まれている映像、音声および字幕画像とを再生する再生手段と、
前記再生手段により再生されているコンテンツの巻き戻し指示と、前記再生手段により再生されているコンテンツの早送り指示とが入力される指示入力手段と、
前記読み出し手段により読み出されたコンテンツに含まれている複数の字幕画像の各再生開始時刻を解析する解析手段と、
前記コンテンツの再生中に前記指示入力手段に前記巻き戻し指示が入力された場合、
当該指示が入力されたときに字幕画像が再生されていた場合には、前記解析手段により解析された時刻であって当該字幕の再生開始時刻を第１再生開始時刻として特定し、
当該指示が入力されたときに字幕画像が再生されていなかった場合には、前記解析手段により解析された時刻であって当該指示が入力された時点より前に再生される字幕画像の再生開始時刻を第１再生開始時刻として特定する第１特定手段と、
前記コンテンツの再生中に前記早送り指示が前記指示入力手段に入力された場合、前記解析手段により解析された時刻であって、前記コンテンツの再生時間軸上において前記早送り指示が入力された時点より後に再生される字幕画像の再生開始時刻を第２再生開始時刻として特定する第２特定手段と、
前記第１再生開始時刻または前記第２再生開始時刻から前記コンテンツが再生されるように前記再生手段を制御する制御手段と
を有する再生装置。
【発明の詳細な説明】
【技術分野】
【０００１】
本発明は、映像および音声を含むコンテンツを再生する技術に関する。
【背景技術】
【０００２】
外国映画のセリフは外国語の日常会話を多く含んでいるため、外国映画を記録したビデオテープやＤＶＤ（Digital Versatile Disc）は、単に映画を楽しむためだけでなく語学学習の教材としても利用されている。特にＤＶＤは、ビデオテープと比較して巻き戻しや早送り、繰返し再生等を容易に行うことができ、また、これらの動作を繰返し行ってもビデオテープのように記録媒体が劣化しない。このため、繰返し再生が頻繁に行われる語学学習用として注目されており、近年、ＤＶＤを利用して語学学習を行う技術も考案されている（例えば、特許文献１参照）。
【０００３】
特許文献１には、映画の字幕のリストを表示し、選択された字幕のセリフの場面を再生するシステムが開示されている。このシステムにおいては、学習したいセリフが選択されると、そのセリフが再生される場面が頭出しされ、学習したいセリフの音声が再生される。このシステムにおいて、再生される映像に映画を使用すれば、日常会話等が自然な速さで発音されるので、この発音を聞いてシャドウイングやリスニングを行えば、効果的な語学学習を行うことができる。
【特許文献１】特開２００１−２２２６５号公報
【発明の開示】
【発明が解決しようとする課題】
【０００４】
ところで、映画のセリフを利用して語学の学習を行う場合、映画を再生して楽しみつつ、覚えたいと思ったセリフを見つけた時には、そのセリフの場面を繰返して再生し、シャドウイングやリスニングを繰返すというような学習方法も考えられる。学習しようとするセリフの頭出しを早送りや巻き戻しによって行う場合、タイミングよく早送りや巻き戻しの操作を行わないと、練習しようとするセリフの場面より前の場面や後の場面まで場面が進んでしまい、再度巻き戻しや早送りの操作を行うこととなる。
【０００５】
一方、特許文献１に開示されたシステムによれば、字幕のリストの中から学習したいセリフを選択すると、学習したいセリフの場面から映画を再生することができるので、タイミングよく早送りや巻き戻しの操作を行うといった繁雑なことを行わずにすむ。しかし、特許文献１に開示されたシステムにおいては、ＤＶＤの再生を停止して字幕のリストを表示させた後、リスト中から所望のセリフを検索し、リスト中のセリフを選択するという繁雑な操作を行わなければならず、また、学習を終了して、学習したセリフの場面から再び映画を楽しむ場合には、ＤＶＤを最初の場面から再生し、練習したセリフの場面まで早送りさせるという面倒な操作を行わなければならず、場面のつながりがなくなって映画を楽しむことができなくなってしまう。
【０００６】
本発明は、上述した背景の下になされたものであり、その目的は、コンテンツの再生中において、コンテンツ中のセリフの頭出しを容易にできるようにすることにある。
【課題を解決するための手段】
【０００７】
上述した課題を解決するために本発明は、映像と音声とを含むコンテンツが記録された記録媒体から該コンテンツを読み出す読み出し手段と、前記読み出し手段により読み出されたコンテンツに含まれている映像および音声とを再生する再生手段と、前記再生手段により再生されているコンテンツの巻き戻し指示と、前記再生手段により再生されているコンテンツの早送り指示とが入力される指示入力手段と、前記コンテンツ中の音声を解析し、前記コンテンツ中において人間の声が含まれる音声の再生区間を特定する解析手段と、前記コンテンツの再生中に前記指示入力手段に前記巻き戻し指示が入力された場合、前記コンテンツの再生時間軸上において当該指示が入力された時点を含む再生区間が前記解析手段で特定された再生区間中にある場合には、当該指示が入力された時点を含む再生区間の開始時刻を特定し、前記コンテンツの再生時間軸上において当該指示が入力された時点を含む再生区間が前記解析手段で特定された再生区間中にない場合には、前記コンテンツの再生時間軸上において当該指示が入力された時点より前に再生される再生区間の開始時刻を特定する第１特定手段と、前記コンテンツの再生中に前記早送り指示が前記指示入力手段に入力された場合、前記解析手段で特定された再生区間であって、前記コンテンツの再生時間軸上において当該指示が入力された時点より後に再生される再生区間を特定し、この再生区間の開始時刻を特定する第２特定手段と、前記第１特定手段により特定された時刻または前記第２特定手段により特定された時刻から前記コンテンツが再生されるように前記再生手段を制御する制御手段とを有する再生装置を提供する。
【０００８】
また、本発明は、映像と音声と複数の字幕画像とを含むコンテンツが記録された記録媒体から該コンテンツを読み出す読み出し手段と、前記読み出し手段により読み出されたコンテンツに含まれている映像、音声および字幕画像とを再生する再生手段と、前記再生手段により再生されているコンテンツの巻き戻し指示と、前記再生手段により再生されているコンテンツの早送り指示とが入力される指示入力手段と、前記読み出し手段により読み出されたコンテンツに含まれている複数の字幕画像の各再生開始時刻を解析する解析手段と、前記コンテンツの再生中に前記指示入力手段に前記巻き戻し指示が入力された場合、当該指示が入力されたときに字幕画像が再生されていた場合には、前記解析手段により解析された時刻であって当該字幕の再生開始時刻を第１再生開始時刻として特定し、当該指示が入力されたときに字幕画像が再生されていなかった場合には、前記解析手段により解析された時刻であって当該指示が入力された時点より前に再生される字幕画像の再生開始時刻を第１再生開始時刻として特定する第１特定手段と、前記コンテンツの再生中に前記早送り指示が前記指示入力手段に入力された場合、前記解析手段により解析された時刻であって、前記コンテンツの再生時間軸上において前記早送り指示が入力された時点より後に再生される字幕画像の再生開始時刻を第２再生開始時刻として特定する第２特定手段と、前記第１再生開始時刻または前記第２再生開始時刻から前記コンテンツが再生されるように前記再生手段を制御する制御手段とを有する再生装置を提供する。
【発明の効果】
【０００９】
本発明によれば、コンテンツの再生中において、コンテンツ中のセリフの頭出しを容易に行うことができる。
【発明を実施するための最良の形態】
【００１０】
［第１実施形態］
［実施形態の構成］
以下、図面を参照して本発明の実施形態について説明する。図１は、本発明の実施形態に係る再生装置のハードウェア構成を示したブロック図である。図１に示したように、再生装置の各部は、バス１０１に接続されており、このバス１０１を介して各部間で信号やデータの授受を行う。
【００１１】
光学ドライブ部１０９は、ＭＰＥＧ−２フォーマットに従って、デジタルデータとしてＤＶＤに記録されている映画コンテンツを読み出すものである。光学ドライブ部１０９はＣＰＵ１０２の制御の下、デジタルデータである映像データや音響データ、字幕データ、各データの再生開始時刻等を含むパケットをＤＶＤから読み出し、読み出したパケットを信号処理部１０７へ出力する。
信号処理部１０７は、光学ドライブ部１０９から出力されたパケットをデコードするものである。信号処理部１０７は、パケットに含まれている音響データをデコードし、音響データが表す音のアナログ信号（音響信号）を生成して音響再生部１０８へ出力する。また、信号処理部１０７は、パケットに含まれている映像データと字幕データとをデコードし、これらのデータが示す画像の映像信号を生成して表示部１０６へ出力する。
【００１２】
音響再生部１０８は、アンプおよびスピーカを備えており（いずれも図示略）、信号処理部１０７から出力された音響信号を増幅し、音響信号が表す音をスピーカから出力する。
表示部１０６は、例えば、液晶ディスプレイ等の表示デバイスを備えており、信号処理部１０７から出力された映像信号に従って、映像や字幕画像を表示する。また、表示部１０６はＣＰＵ１０２の制御の下、各種メッセージや再生装置を操作するためのメニュー画面等を表示する。
【００１３】
入力部１０５は、図２に例示したように、再生装置を操作するための各種キーを備えている。入力部１０５は、図２に示した各種キーが押下されると、押下されたキーを示すキー信号をＣＰＵ１０２へ出力する。
キー２１０〜キー２１２は、ＤＶＤに記録されている映像・音声の再生、早送り、巻き戻しを行う際に使用されるキーである。キー２１０（プレイキー）が押下されると、ＣＰＵ１０２により各部が制御され、ＤＶＤに記録されている映像や字幕画像、音声等の再生が行われる。また、キー２１１（早送りキー）が押下されると映像や字幕画像、音声等の早送りが行われ、キー２１２（巻き戻しキー）が押下されると映像や字幕画像、音声等の巻き戻しが行われる。
【００１４】
キー２２１（前文キー）とキー２２２（次文キー）は、ＤＶＤに記録されている映像や字幕画像、音声等の早送り、巻き戻しを字幕画像単位で行う際に使用されるキーである。
キー２２１（前文キー）が押下されると、再生されている映像や字幕画像および音声の巻き戻しが行われる。具体的には、キーが押下された時点で字幕画像が表示されている場合には、表示されている字幕画像の再生開始時点まで巻き戻しが行われ、また、キーが押下された時点で字幕画像が表示されていない場合には、キーが押下された時点の直前に表示されていた字幕画像の再生開始時点まで巻き戻しが行われる。
また、キー２２２（次文キー）が押下されると、再生されている映像や字幕画像および音声の早送りが行われる。具体的には、キーが押下された時点で字幕画像が表示されている場合には、表示されている字幕画像の次に表示される字幕画像の再生開始時点まで早送りが行われ、また、キーが押下された時点で字幕画像が表示されていない場合には、キーが押下された時点より後に表示される字幕画像の再生開始時点まで早送りが行われる。
【００１５】
ＲＯＭ（Read Only Memory）１０３は、再生装置に各種機能を実現させる制御プログラムを記憶している。ＣＰＵ１０２は、ＲＯＭ１０３から制御プログラムを読出し、ＲＡＭ（Random Access Memory）１０４を作業エリアとして制御プログラムを実行する。
ＣＰＵ１０２は、一定の周期で実行するタイマー割り込み処理により、入力部１０５から出力されたキー信号が入力されたか否かを検知する。ＣＰＵ１０２は、キー信号が入力されたことを割り込み処理のタイミングにおいて検知すると、入力されたキー信号に基づいて、入力部１０５において押下されたキーを特定し、特定したキーおよびＤＶＤの再生のモードに応じて、図３〜図７に示した各種キーに対応した処理を実行する。
また、ＣＰＵ１０２が制御プログラムを実行すると、ＤＶＤに記録されているコンテンツを再生する機能や、早送りや巻き戻しを行う機能が再生装置において実現する。このようにプログラムに従って各種機能が実現するという点において、再生装置はコンピュータ装置と同様である。
【００１６】
［実施形態の動作］
次に、再生装置の動作について説明する。
ユーザが字幕入りの映画コンテンツが記録されたＤＶＤを光学ドライブ部１０９に挿入した後、キー２１０（プレイキー）を押下すると、キー２１０が押下されたことを示すキー信号が入力部１０５から出力される。ＣＰＵ１０２は、一定の周期で実行する割り込み処理により、入力部１０５から出力されたキー信号を検知する。そして、ＣＰＵ１０２は、キー信号を検知すると、押下されたキーがキー２１０であることを入力されたキー信号に基づいて特定し、図３に示した処理を実行する。具体的には、ＣＰＵ１０２によって光学ドライブ部１０９が制御され、映像データや音声データ、字幕データを含むパケットがＤＶＤから読み出されて信号処理部１０７へ出力される。信号処理部１０７は、読み出されたパケットに含まれている音響データをデコードし、音響データが表す音に対応した音響信号を音響再生部１０８へ出力する。また、信号処理部１０７は、読み出されたパケットに含まれている映像データと字幕データとをデコードし、デコードされた画像を示す映像信号を表示部１０６へ出力する。映像信号が表示部１０６へ出力されると共に、音響信号が音響再生部１０８へ出力されると、音響データが表す音がスピーカから出力され、映像データが表す画像と字幕データが表す字幕とが表示部１０６に表示される。
ここで、信号処理部１０７は、映画コンテンツの再生中においては、再生中の字幕画像の再生開始時刻をパケットから抽出する。そして、信号処理部１０７は、この抽出した再生開始時刻を、図８に示したように新しい字幕画像が再生される毎にＲＡＭ１０４の再生開始時刻テーブルＴＢ１に順次記憶させていく。また、信号処理部１０７は、字幕画像が出力されている間、出力されている字幕画像の再生開始時刻を、図８に示したようにＲＡＭ１０４の領域Ａに記憶させ、字幕画像が出力されていない間は領域Ａの再生開始時刻を消去する。
【００１７】
この後、ユーザがキー２１１（早送りキー）を押下し、キー２１１が押下されたことを示すキー信号が入力部１０５からＣＰＵ１０２に入力されると、ＣＰＵ１０２は、押下されたキーを入力されたキー信号に基づいて特定し、図４に示したように、早送り再生の処理を実行する（ステップＳＢ１）。また、ユーザがキー２１２（巻き戻しキー）を押下し、キー２１２が押下されたことを示すキー信号がＣＰＵ１０２に入力されると、ＣＰＵ１０２は、押下されたキーを入力されたキー信号に基づいて特定し、図５に示したように、巻き戻し再生の処理を実行する（ステップＳＣ１）。
【００１８】
また、映画コンテンツの再生中においてユーザがキー２２１（前文キー）を押下すると、ＣＰＵ１０２は、図６に示した処理を実行する。
まずＣＰＵ１０２は、映画コンテンツの再生時間軸上においてキー２２１が押下された時の時刻を特定し（ステップＳＤ１）、次に、ＲＡＭ１０４の領域Ａに再生開始時刻が記憶されているか否かを判断する（ステップＳＤ２）。ＣＰＵ１０２は、領域Ａに再生開始時刻が記憶されている場合（ユーザがキー２１１を押下した時に字幕が表示されていた場合）（ステップＳＤ２；ＹＥＳ）、ＲＡＭ１０４の領域Ａに記憶されている再生開始時刻を読み出す（ステップＳＤ３）。例えば、図９に示した、字幕画像が表示されている「００：０５：４５」〜「００：０５：５５」の間の「００：０５：５０」の時点でキー２２１が押下された場合、領域Ａに記憶されている「００：０５：４５」が領域Ａから読み出される。
次にＣＰＵ１０２は、読み出した再生開始時刻が示す場面から映像と字幕画像および音声の再生が行われるように、光学ドライブ部１０９および信号処理部１０７を制御する（ステップＳＤ４）。ＣＰＵ１０２により光学ドライブ部１０９が制御され、映像データや音声データ、字幕データを含むパケットが読み出されると、読み出されたパケットが信号処理部１０７へ出力される。読み出されたパケットが信号処理部１０７でデコードされると、音響信号と映像信号が信号処理部１０７から出力される。
【００１９】
一方、ＣＰＵ１０２は、ステップＳＤ２で領域Ａに再生開始時刻が記憶されてなくＮＯと判断した場合（ステップＳＤ２；ＮＯ）（ユーザがキー２１１を押下した時に字幕が表示されていなかった場合）、ステップＳＤ１で特定した時刻より前に再生される字幕画像の再生開始時刻を、再生開始時刻テーブルＴＢ１から抽出する（ステップＳＤ５）。例えば、図９に示した、字幕画像が表示されない「００：０５：４１」〜「００：０５：４４」の間の「００：０５：４３」の時点でキー２２１が押下された場合、再生開始時刻テーブルＴＢ１からは「００：０５：３０」が抽出される。次にＣＰＵ１０２は、抽出した再生開始時刻が示す場面から映像と字幕画像および音声の再生が行われるように、光学ドライブ部１０９および信号処理部１０７を制御する（ステップＳＤ４）。
このように、ユーザがキー２２１（前文キー）を押下すると、字幕画像の再生開始時刻を基準にしてコンテンツの巻き戻しが行われる。
【００２０】
また、映画コンテンツの再生中においてユーザがキー２２２（次文キー）を押下すると、ＣＰＵ１０２は、図７に示した処理を実行する。具体的には、まずＣＰＵ１０２は、映画コンテンツの再生時間軸上においてキー２２２が押下された時の再生時刻を特定する（図７：ステップＳＥ１）。次に、ＣＰＵ１０２は、光学ドライブ部１０９と信号処理部１０７とを制御し、再生中の場面より後の場面のデータを含むパケットをＤＶＤから読み出し、特定した再生時刻より後に再生される字幕画像の再生開始時刻をパケットから抽出する（ステップＳＥ２）。例えば、図９に示した「００：０５：５７」の時点でキー２２２が押下された場合、「００：０５：５７」より後に再生される字幕画像の再生開始時刻「００：０６：０５」が抽出される。次にＣＰＵ１０２は、抽出した再生開始時刻が示す場面から映像と字幕画像および音声の再生が行われるように、光学ドライブ部１０９および信号処理部１０７を制御する（ステップＳＥ３）。このように、ユーザがキー２２２（次文キー）を押下すると、字幕画像の再生開始時刻を基準にしてコンテンツの早送りが行われる。
【００２１】
以上説明したように本実施形態によれば、字幕画像単位で映像や字幕画像および音声の早送りおよび巻き戻しが行われるので、学習したいセリフの場面から映画を再生することができる。
【００２２】
［第２実施形態］
［実施形態の構成］
次に本発明の第２実施形態について説明する。本発明の第２実施形態に係る再生装置は、信号処理部１０７の構成と、キー２２１およびキー２２２が押下された時の動作が第１実施形態に係る再生装置と異なっており、他の構成および動作は第１実施形態に係る再生装置と同じとなっている。
【００２３】
本実施形態において、入力部１０５のキー２２１（前文キー）とキー２２２（次文キー）は、ＤＶＤに記録されている映像および音声の早送り、巻き戻しをＤＶＤに記録されているコンテンツ中の音声単位で行う際に使用される。
【００２４】
本実施形態に係る信号処理部１０７は、音響データをデコードして得られる音が人間の音声を含む音であるか、または人間の音声を含まない音であるか判別する機能を備えている。また、信号処理部１０７は、映像データや音響データを格納するバッファを備えている。ＤＶＤに記録されているデータは、先読みされて一端このバッファに格納された後、デコードされる。
【００２５】
ＲＯＭ１０３には、第１実施形態とは異なる制御プログラムが記憶されている。ＣＰＵ１０２が制御プログラムを実行すると、ＤＶＤを再生する機能や、早送りや巻き戻しを行う機能、映画コンテンツ中の音声単位で映像および音声の早送りや巻き戻しを行う機能が実現する。
【００２６】
［実施形態の動作］
次に第２実施形態の動作について説明する。
ユーザが映画コンテンツが記録されたＤＶＤを光学ドライブ部１０９に挿入した後、キー２１０（プレイキー）を押下すると、第１実施形態と同様にＤＶＤに記録されている映像および音声の再生が行われる（図３：ステップＳＡ１）。
ここで、信号処理部１０７は、先読みされてバッファに記憶されている音響データをデコードし、音響データが表す音に対応した音響信号を生成する。信号処理部１０７は、音響信号をあらかじめ決められた時間（フレーム）毎に分割する。信号処理部１０７は、フレームに分解された音響信号が示す波形をフーリエ変換して得られた振幅スペクトルの対数を求め、それをフーリエ逆変換してフレームごとのスペクトル包絡を得る。信号処理部１０７は、こうして得られたスペクトル包絡から第１フォルマントおよび第２、第３フォルマントのフォルマント周波数を抽出する。そして、このフォルマント周波数を使用して、音響信号が表す音が人間の声であるか、無音または人間の声以外の音（例えば、ＢＧＭ等のみの音の区間）であるか否かを判断し、人間の声を含まない音から人間の声を含む音への切り替わりと、人間の声を含む音から人間の声を含まない音への切り替わりを検知する。そして、映画コンテンツの再生時間軸上において、音響信号が表す音が人間の声を含む再生区間（即ち、セリフを含む区間）を検知し、音響信号が表す音が人間の声を含む再生区間の時間を、ＲＡＭ１０４の音声再生区間テーブルＴＢ２に記憶する。
例えば、図１３に示したように、「００：０５：３０−００：０５：５０」の時間区間と、「００：０６：０５−００：０６：４５」の時間区間とで、人間の声が再生されることを検知すると、図１２に示したように、音声再生区間テーブルＴＢ２に「００：０５：３０−００：０５：５０」の時間区間と、「００：０６：０５−００：０６：４５」の時間区間とが格納される。ここで、音声再生区間テーブルＴＢ２に格納されていない「００：０５：５１−００：０６：０４」の時間区間は、人間の声を含まない音の時間区間である。
【００２７】
次にユーザがキー２２１（前文キー）を押下すると、ＣＰＵ１０２は図１０に示した処理を実行する。まずＣＰＵ１０２は、ＤＶＤに記録されているコンテンツの再生時間軸上において、キー２２１が押下された時刻を特定する（ステップＳＦ１）。
次にＣＰＵ１０２は、ステップＳＦ１で特定された時刻を含む時間区間がＲＡＭ１０４に記憶されているか否か判断する。ここで、ＣＰＵ１０２は、特定した時刻を含む時間区間がＲＡＭ１０４に記憶されている場合（ステップＳＦ２；ＹＥＳ）、特定した時刻を含む時間区間を読み出し、読み出した時間区間の始まりの時刻を抽出する（ステップＳＦ３）。例えば、特定した時刻が「００：０６：１５」である場合、図１２に示した音声再生区間テーブルＴＢ２から「００：０６：０５−００：０６：４５」が読み出され、読み出した時間区間の始まりの時刻として、「００：０６：０５」が抽出される。
一方、特定した時刻を含む時間区間がＲＡＭ１０２に記憶されていない場合（ステップＳＦ２；ＮＯ）、即ち、人間の音声が再生されていない時にキー２２１が押下された場合、特定した時刻より前の時間区間を読み出し、読み出した時間区間の始まりの時刻を抽出する（ステップＳＦ４）。例えば、特定した時刻が「００：０５：５５」である場合、音声再生区間テーブルＴＢ２から「００：０５：３０−００：０５：５０」が読み出され、読み出した時間区間の始まりの時刻として、「００：０５：３０」が抽出される。
【００２８】
ＣＰＵ１０２は、ステップＳＦ３またはステップＳＦ４でＲＡＭ１０４から時刻の情報を抽出すると、抽出した時刻の場面から映画コンテンツが再生されるように、光学ドライブ部１０９と信号処理部１０７とを制御する（ステップＳＦ５）。
【００２９】
また、ユーザがキー２２２（次文キー）を押下すると、ＣＰＵ１０２は、図１１に示した処理を実行する。まずＣＰＵ１０２は、ＤＶＤに記録されているコンテンツの再生時間軸上において、キー２２２が押下された時刻を特定する（図１１：ステップＳＧ１）。そして、ＣＰＵ１０２は、キー２２２が押下された時より後に再生される音声の再生開始時刻を特定する（ステップＳＧ２）。具体的には、ＣＰＵ１０２は、特定した時刻と、ＲＡＭ１０４に記憶されている時刻とを比較する。ＣＰＵ１０２は、特定した時刻を含む時間区間がＲＡＭ１０４に記憶されている場合、特定した時刻を含む時間区間より後の時間区間を読み出し、読み出した時間区間の始まりの時刻を抽出する。例えば、特定した時刻が「００：０５：４０」である場合、図１２に示した音声再生区間テーブルＴＢ２から「００：０６：０５−００：０６：４５」が読み出され、読み出した時間区間の始まりの時刻として、「００：０６：０５」が抽出される。一方、特定した時刻を含む時間区間が音声再生区間テーブルＴＢ２に記憶されていない場合、即ち、人間の音声が再生されていない時にキー２２２が押下された場合、ＣＰＵ１０２は、特定した時刻より後の時間区間を読み出し、読み出した時間区間の始まりの時刻を抽出する。例えば、特定した時刻が「００：０５：５５」である場合、音声再生区間テーブルＴＢ２から「００：０６：０５−００：０６：４５」が読み出され、読み出した時間区間の始まりの時刻として、「００：０６：０５」が抽出される。
【００３０】
ＣＰＵ１０２は、ステップＳＧ２でＲＡＭ１０４から時刻の情報を抽出すると、ＲＡＭ１０４から抽出した時刻の場面から映画コンテンツが再生されるように、光学ドライブ部１０９と信号処理部１０７とを制御する（ステップＳＧ３）。
【００３１】
以上説明したように、本実施形態によれば、出力される音声単位で映像および音声の早送りおよび巻き戻しが行えるので、学習したいセリフの場面から映画を再生することができる。
【００３２】
［変形例］
以上、本発明の実施形態について説明したが、本発明は上述した実施形態に限定されることなく、以下に示すように様々な形態で実施可能である。
【００３３】
上述した実施形態に係る再生装置は、表示部１０６や音響再生部１０８を備えているが、再生装置は、映像信号を再生する表示装置や音響信号を増幅して再生するアンプやスピーカを外部に持つようにし、映像信号や音響信号を外部に出力するようにしてもよい。
【図面の簡単な説明】
【００３４】
【図１】本発明の第１実施形態に係る再生装置のハードウェア構成を示したブロック図である。
【図２】同再生装置の入力部１０５が備えるキーの配置を例示した図である。
【図３】キー２１０が押下された時の処理の流れを例示したフローチャートである。
【図４】キー２１１が押下された時の処理の流れを例示したフローチャートである。
【図５】キー２１２が押下された時の処理の流れを例示したフローチャートである。
【図６】キー２２１が押下された時の処理の流れを例示したフローチャートである。
【図７】キー２２２が押下された時の処理の流れを例示したフローチャートである。
【図８】第１実施形態においてＲＡＭ１０４に格納されるデータを例示した図である。
【図９】第１実施形態の動作を説明するための図である。
【図１０】同第２実施形態においてキー２２１が押下された時の処理の流れを例示したフローチャートである。
【図１１】同第２実施形態においてキー２２２が押下された時の処理の流れを例示したフローチャートである。
【図１２】音声再生区間テーブルＴＢ２に格納された再生時刻を例示した図である。
【図１３】第２実施形態の動作を説明するための図である。
【符号の説明】
【００３５】
１０２・・・ＣＰＵ、１０３・・・ＲＯＭ、１０４・・・ＲＡＭ、１０５・・・入力部、１０６・・・表示部、１０７・・・信号処理部、１０８・・・音響再生部、１０９・・・光学ドライブ部。
【図１】
2007174074.tif 000003
【図２】
2007174074.tif 000004
【図３】
2007174074.tif 000005
【図４】
2007174074.tif 000006
【図５】
2007174074.tif 000007
【図６】
2007174074.tif 000008
【図７】
2007174074.tif 000009
【図８】
2007174074.tif 000010
【図９】
2007174074.tif 000011
【図１０】
2007174074.tif 000012
【図１１】
2007174074.tif 000013
【図１２】
2007174074.tif 000014
【図１３】
2007174074.tif 000015